(57)【要約】【課題】  外観部品に対するカバーの組付け精度が高精度な装着物保護装置及びその装着物保護装置を備えた記録装置と電子機器を提供すること。【解決手段】  カバー１２１の開閉軸１２１ａが、装置本体を構成する外観部品１０１の、スロット部１２２を前面としたときの側面１０２に位置する側に設けられている。これにより、外観部品の側面に対するカバーの組付け精度を高精度にすることができると共に、外観部品の側面に対する前面１０３の組付け精度を高精度にすることができるので、外観部品の前面に対するカバーの組付け精度も高精度にすることができる。【選択図】      図６
2007030484.tif 000002
【特許請求の範囲】
【請求項１】
着脱自在な装着物を装着するためのスロット部と、
前記スロット部に対して、覆う閉状態と開放する開状態とをとることのできる開閉自在なカバーとを備え、
前記装着物を保護する装着物保護装置であって、
前記カバーの開閉軸が、装置本体を構成する外観部品の、前記スロット部を前面としたときの側面に位置する側に設けられていることを特徴とする装着物保護装置。
【請求項２】
前記カバーの開閉軸が、閉状態のときに前記外観部品と前記カバーの外面が面一となるように、前記外観部品の外面よりも内側に設けられていることを特徴とする請求項１に記載の装着物保護装置。
【請求項３】
前記カバーは、弾性部材で閉状態が維持され、当接部材で開状態が維持されることを特徴とする請求項１又は２に記載の装着物保護装置。
【請求項４】
前記弾性部材は、捻りコイルバネであり、前記カバーの開動作で締め付け方向に変位するように取り付けられていることを特徴とする請求項３に記載の装着物保護装置。
【請求項５】
前記当接部材は、前記カバーに設けられた第１の突部及びこの第１の突部を弾性変位させる弾性変位部と、前記外観部品に設けられ、前記第１の突部と当接可能な第２の突部とを備えていることを特徴とする請求項３又は４に記載の装着物保護装置。
【請求項６】
記録媒体に記録する記録装置であって、
請求項１〜５の何れか一項に記載の装着物保護装置を備えたことを特徴とする記録装置。
【請求項７】
電子制御される電子機器であって、
請求項１〜５の何れか一項に記載の装着物保護装置を備えたことを特徴とする電子機器。
【発明の詳細な説明】
【技術分野】
【０００１】
本発明は、着脱自在な装着物を装着するためのスロット部と、このスロット部に対して、覆う閉状態と開放する開状態とをとることのできる開閉自在なカバーとを備え、装着物を保護する装着物保護装置及びその装着物保護装置を備えた記録装置と電子機器に関する。
【背景技術】
【０００２】
記録装置の１つであるインクジェット式プリンタには、インクカートリッジが収納されるカートリッジホルダを備えたものがある。このようなカートリッジホルダには、インクカートリッジを保護すると共に、埃の侵入やインクの乾燥を防止するために、開閉可能なカバーが設けられている（特許文献１参照）。
【０００３】
【特許文献１】特開２００４−３０６５２１号公報
【発明の開示】
【発明が解決しようとする課題】
【０００４】
一般に、カートリッジホルダは、プリンタ本体を構成する外観部品の内部に配設される部品なため、この外観部品とは別部品で構成されている。そして、カバーはカートリッジホルダを覆う必要があるため、その開閉軸はカートリッジホルダに形成されている。従って、カバーの外面と外観部品の外面とは、カートリッジホルダ分の公差が上乗せされることにより、段差が生じるおそれがある。
【０００５】
本発明は、上記のような種々の課題に鑑みなされたものであり、その目的は、外観部品に対するカバーの組付け精度が高精度な装着物保護装置及びその装着物保護装置を備えた記録装置と電子機器を提供することにある。
【課題を解決するための手段】
【０００６】
上記目的達成のため、本発明の装着物保護装置では、着脱自在な装着物を装着するためのスロット部と、前記スロット部に対して、覆う閉状態と開放する開状態とをとることのできる開閉自在なカバーとを備え、前記装着物を保護する装着物保護装置であって、前記カバーの開閉軸が、装置本体を構成する外観部品の、前記スロット部を前面としたときの側面に位置する側に設けられていることを特徴としている。これにより、外観部品の側面に対するカバーの組付け精度を高精度にすることができると共に、外観部品の側面に対する前面の組付け精度を高精度にすることができるので、外観部品の前面に対するカバーの組付け精度も高精度にすることができる。
【０００７】
また、前記カバーの開閉軸が、閉状態のときに前記外観部品と前記カバーの外面が面一となるように、前記外観部品の外面よりも内側に設けられていることを特徴としている。これにより、外観部品の側面の外面とカバーの外面とを面一とすることができると共に、カバーの外面と外観部品の前面の外面とを面一とすることができる。また、前記カバーは、弾性部材で閉状態が維持され、当接部材で開状態が維持されることを特徴としている。これにより、カバーの開閉が簡易となるので、装着物を容易に着脱することができると共に、装着物を確実に保護することができる。
【０００８】
また、前記弾性部材は、捻りコイルバネであり、前記カバーの開動作で締め付け方向に変位するように取り付けられていることを特徴としている。これにより、開閉機構の構成を簡易なものとして部品コストを抑えることができ、耐久性を向上させることができる。また、前記当接部材は、前記カバーに設けられた第１の突部及びこの第１の突部を弾性変位させる弾性変位部と、前記外観部品に設けられ、前記第１の突部と当接可能な第２の突部とを備えていることを特徴としている。これにより、開閉機構の構成を簡易なものとして部品コストを抑えることができる。
【０００９】
上記目的達成のため、記録媒体に記録する記録装置であって、上記各装着物保護装置を備えたことを特徴としている。また、電子制御される電子機器であって、上記各装着物保護装置を備えたことを特徴としている。これにより、上記各作用効果を奏する記録装置又は電子機器を提供することが可能である。
【発明を実施するための最良の形態】
【００１０】
本発明の実施形態について、図面を参照して説明する。尚、以下に説明する実施形態は特許請求の範囲に係る発明を限定するものではなく、また実施形態の中で説明されている特徴の組み合わせの全てが発明の解決手段に必須であるとは限らない。
【００１１】
図１は、本発明の一実施の形態に係る記録装置の１つであるインクジェット式プリンタの外観構成の全体を示す斜視図、図２は、その内部構造を示す斜視図、図３は、その内部構造を示す概略側面図である。このインクジェット式プリンタ１００は、例えば名刺、カード、Ｌ判／２Ｌ判、ハガキ、六切やＪＩＳ規格のＡ６判からＡ４判までのサイズの単票紙と、例えばＣＤ−Ｒ（Ｃｏｍｐａｃｔ  Ｄｉｓｃ−Ｒｅｃｏｒｄａｂｌｅ）やＤＶＤ−Ｒ（Ｄｉｇｉｔａｌ  Ｖｅｒｓａｔｉｌｅ  Ｄｉｓｃ−Ｒｅｃｏｒｄａｂｌｅ）等の光ディスクのレーベル面に記録することができる機能を備えている。
【００１２】
このインクジェット式プリンタ１００は、図１に示すように、全体が略直方体状のハウジング（外観部品）１０１で覆われている。そして、ハウジング１０１の上面における前面側には操作部１１０が配設され、前面における図示右側には本発明の特徴的な部分であるメモリカードスロット部（装着物保護装置）１２０が配設され、上面における背面側には給紙部１３０が配設され、前面側には排紙部１４０が配設されている。更に、図２及び図３に示すように、排紙部１４０の内部にはディスク搬送部２００が配設されている。
【００１３】
操作部１１０は、図１に示すように、略矩形状の操作パネル１１１を備え、この操作パネル１１１の略中央部に操作状態等を表示する液晶パネル１１２が配設され、この液晶パネル１１２の両側にパワーをオン・オフするパワー系、用紙の頭出し等を操作したりインクのフラッシング等を操作する操作系、画像処理等を行う処理系等のボタン１１３が配設されている。ユーザは、液晶パネル１１２を見て確認しながらボタン１１３を操作することができるので、誤操作を防止することができる。
【００１４】
メモリカードスロット部１２０は、図１に示すように、図示矢印ａ方向に開閉自在なカバー１２１で覆われている。このメモリカードスロット部１２０は、例えば３つのスロットが形成されたスロット部１２２（図５参照）を備え、１３種類のメモリカード（装着物）に対応可能に構成されている。ユーザは、インクジェット式プリンタ１００をパーソナルコンピュータに接続しなくても、インクジェット式プリンタ１００単独の状態でスロット部１２２のスロットにメモリカードを差し込むのみで、メモリカードに格納されている画像等を記録することができる。尚、本発明の特徴的な部分であるメモリカードスロット部１２０の詳細については後述する。
【００１５】
給紙部１３０は、図１に示すように、上方に向かって矩形状に開口した給紙口１３１を開閉する機能と、給紙する用紙を１枚もしくは複数枚サポートする機能を併せ持ったペーパーサポート１３２を備えている。このペーパーサポート１３２は、後端の回転軸を中心に図示矢印ｂ方向に回動可能に取り付けられている。ユーザは、インクジェット式プリンタ１００を使用又は不使用のときは、ペーパーサポート１３２の図示左側のハウジング１０１に設けられた穴１３３に指を差し込んでペーパーサポート１３２の図示左側を持ってペーパーサポート１３２を開閉することができるので、用紙の差し入れを容易に行うことができ、また給紙口１３１内への埃の侵入を防止することができる。
【００１６】
このペーパーサポート１３２は、図２に示すように、用紙の裏面をサポートする第１サポート３１及び第２サポート３２と、用紙の両サイドエッジをガイドする固定エッジガイド３３と可動エッジガイド３４等を備えている。第１サポート３１は、平板状に形成されて後端の回転軸を中心に図示矢印ｂ方向に回動可能に取り付けられている。第２サポート３２は、平板状に形成されて第１サポート３１に格納・引出自在に配設されている。これにより、使用時は種々のサイズの用紙を確実にサポートすることができ、また不使用時は第２サポート３２を第１サポート３１に格納し、第１サポート３１を給紙口１３１に被せているので、コンパクトに格納しておくことができる。
【００１７】
また、固定エッジガイド３３は、図示右側壁に沿う形状でホッパ５１と一体形成され、可動エッジガイド３４は、図示左側壁に沿う形状に形成され、左側壁と右側壁の間を後壁と略平行に移動可能なように取り付けられている。固定エッジガイド３３と可動エッジガイド３４は、用紙のサイズが異なっても確実に用紙の両側縁をガイドすることができるので、給送を高精度に行うことができる。
【００１８】
排紙部１４０は、図１に示すように、前方に向かって矩形状に開口した排紙口１４１を開閉する機能と、排紙される用紙を１枚もしくは複数枚スタックする機能を併せ持った本発明の特徴的な部分であるスタッカ１４２を備えている。このスタッカ１４２は、下端の回転軸を中心に図示矢印ｃ方向に回動可能に取り付けられている。ユーザは、インクジェット式プリンタ１００を使用又は不使用のときは、スタッカ１４２の上部に設けられた取っ手１４３に指を掛けてスタッカ１４２を開閉することができるので、セッティングを容易に行うことができ、また排紙口１４１内への埃の侵入を防止することができる。更に、記録後の用紙は常に前面側から排紙されるので、ユーザは用紙を容易に取り出すことができる。
【００１９】
このスタッカ１４２は、図２に示すように、第１スタッカ４１及び第２スタッカ４２を備えている。第１スタッカ４１は、平板状に形成されて後端の回転軸を中心に図示矢印ｃ方向に回動可能に取り付けられている。第２スタッカ４２は、平板状に形成されて第１スタッカ４１に格納・引出自在に配設されている。これにより、使用時は種々のサイズの排紙される用紙を確実に積層載置することができ、また不使用時は第２スタッカ４２を第１スタッカ４１に格納し、第１スタッカ４１を排紙口１４１に被せているので、コンパクトに格納しておくことができる。
【００２０】
このインクジェット式プリンタ１００の内部には、図２及び図３に示すように、用紙搬送部１５０、記録部１６０及びディスク搬送部２００が配設されている。用紙搬送部１５０は、給紙部１３０から排紙部１４０に掛けて配設されており、自動給紙機構１５１、搬送機構１５２、排紙機構１５３を備えている。自動給紙機構１５１は、ペーパーサポート１３２にサポートされている用紙を給送するために持ち上げるホッパ５１、このホッパ５１により持ち上げられた用紙を取り出す給紙ローラ５２、この給紙ローラ５２により重送された用紙を１枚のみに分離するリタードローラ５３、このリタードローラ５３により分離された残りの用紙をホッパ５１へ戻す紙戻しレバー５４等を備えている。
【００２１】
ホッパ５１は、用紙が載置可能な平板状に形成されて後壁と略平行に配設されており、下端が給紙ローラ５２の近傍に位置し、上端が後壁頂部に近接して位置するように配設されている。そして、ホッパ５１は、後壁に一端が取り付けられた図示しない圧縮バネの他端が下端側の裏面に取り付けられており、この圧縮バネの伸縮により上端側を中心に下端側が旋回するように配設されている。
【００２２】
給紙ローラ５２は、断面の一部が切り欠かれたＤ字状に形成されてホッパ５１の下端近傍に配設されており、間欠的に回転してホッパ５１により持ち上げられた用紙を摩擦給送するようになっている。リタードローラ５３は、給紙ローラ５２と当接可能に配設されており、給紙ローラ５２により用紙が重送されたときに最上層の用紙のみを下層の用紙から摩擦分離するようになっている。紙戻しレバー５４は、爪状に形成されて給紙ローラ５２の近傍に配設されており、リタードローラ５３により分離された下層の用紙を爪に掛けてホッパ５１へ戻すようになっている。
【００２３】
搬送機構１５２は、記録動作に同期して副走査方向に用紙を送る紙送りローラ５５とその従動ローラ５６等が配設されている。紙送りローラ５５は、プラテン１６３の搬送上流側に配設されており、給紙ローラ５２により給送される用紙を従動ローラ５６と共に挟持してプラテン１６３へ送り出すようになっている。
【００２４】
排紙機構１５３は、排紙ローラ５７と第１ギザローラ５８ａ及び第２ギザローラ５８ｂ等を備えている。第１ギザローラ５８ａは、プラテン１６３の搬送下流側に配設され、第２ギザローラ５８ｂと排紙ローラ５７は、第１ギザローラ５８ａの搬送下流側に対向配設されており、プラテン１６３を通過してくる用紙を先ず第１ギザローラ５８ａで排送し、続いて第２ギザローラ５８ｂと排紙ローラ５７で挟持してスタッカ１４２上へ排紙するようになっている。尚、第１ギザローラ５８ａ及び第２ギザローラ５８ｂは、図示しない同一の保持部材により保持されている。
【００２５】
記録部１６０には、記録動作に同期して主走査方向に移動するキャリッジ１６１、記録動作に同期してインクを吐出する記録ヘッド１６２、記録時の用紙を平坦に保持するプラテン１６３等が配設されている。キャリッジ１６１は、プラテン１６３の上方でキャリッジガイド軸１６４に貫装されてキャリッジベルト１６５に連結されており、図示しないキャリッジモータによってキャリッジベルト１６５が作動すると、キャリッジベルト１６５の動きに連行され、キャリッジガイド軸１６４に案内されて往復移動するようになっている。このキャリッジ１６１には、複数のインクカートリッジが抜き差し可能なカートリッジ収納部６１が形成されている。
【００２６】
記録ヘッド１６２は、プラテン１６３と所定の間隔が空くようにしてキャリッジ１６１に搭載されており、例えばブラックインクを吐出するブラックインク用記録ヘッドと、イエロー、シアン、ライトシアン、マゼンタ、ライトマゼンタの５色のインクをそれぞれ吐出する複数のカラーインク用記録ヘッドとを備えている。そして、記録ヘッド１６２は、圧力発生室とそれに繋がるノズル開口が設けられており、圧力発生室内にインクを貯留して所定圧で加圧することにより、ノズル開口から用紙に向けてコントロールされた大きさのインク滴を吐出するようになっている。
【００２７】
このような構成において、用紙に記録する場合の動作について説明する。ユーザは、記録前の複数枚の用紙をペーパーサポート１３２に収納してインクジェット式プリンタ１００を起動する。ペーパーサポート１３２に積層収納された用紙は、下端がホッパ５１により持ち上げられて給紙ローラ５２に当接される。そして、給紙ローラ５２により摩擦給送されると同時に、分離パッド５３により最上層の用紙のみが摩擦分離されて給送される。
【００２８】
そして、最上層の用紙は、スキュー取り及び頭出しされた後、紙送りローラ５５とその従動ローラ５６に挟持されてプラテン１６３へ給送される。その用紙は、キャリッジモータとキャリッジベルト１６５により走査されるキャリッジ１６１に搭載された記録ヘッド１６２により記録される。このとき、インクジェット式プリンタ１００の制御部は、例えばイエロー、マゼンタ、ライトマゼンタ、シアン、ライトシアン、ブラックの計６色のインクカートリッジから記録ヘッド１６２へ各色インクを供給し、各色インクの吐出タイミング及びキャリッジ１６１や紙送りローラ５５の駆動を制御して、高精度なインクドット制御、ハーフトーン処理等を実行する。そして、記録が完了した用紙は、第１ギザローラ５８ａから排紙ローラ５７と第２ギザローラ５８ｂに挟持されてスタッカ１４２上へ積層載置される。次に、本発明の特徴的な部分であるメモリカードスロット部１２０について、更に図を参照して説明する。
【００２９】
図４は、上記メモリカードスロット部１２０のカバー１２１を閉じた状態を示す斜視図、図５及び図６は、そのカバー１２１を開いた状態を示す斜視図である。ここで、本実施形態のハウジング１０１は、側面を構成するサイドパネル（外観部品）１０２と前面を構成するフロントパネル（外観部品）１０３を備えており、サイドパネル１０２とフロントパネル１０３はスナップフィット等により接合されている。
【００３０】
メモリカードスロット部１２０は、前述したように開閉自在なカバー１２１と、このカバー１２１に覆われるスロット部１２２を備えている。このメモリカードスロット部１２０は、サイドパネル１０２からフロントパネル１０３に掛けて形成された略矩形状の開口部１０２ａ、１０３ａに設けられている。即ち、カバー１２１は、サイドパネル１０２の開口部１０２ａとフロントパネル１０３の開口部１０３ａを塞ぐように取り付けられ、スロット部１２２は、フロントパネル１０３の開口部１０３ａの内部に取り付けられている。
【００３１】
カバー１２１は、水平断面が略Ｌ字状の透明若しくは半透明のプラスチックで形成されている。このカバー１２１は、回転軸１２１ａが図示右端側に設けられ、取っ手１２１ｂが図示左端側に設けられている。そして、カバー１２１の回転軸１２１ａは、サイドパネル１０２の開口部１０２ａにおける外面よりも内側に取り付けられている。ユーザは、取っ手１２１ｂに指を掛けて図示矢印ａ方向に力を掛けることにより、カバー１２１を回転軸１２１ａを中心に図示矢印ａ方向に旋回させ、スロット部１２２を露出させることができる。
【００３２】
スロット部１２２は、水平断面が略Ｌ字状の不透明のプラスチックで形成されている。このスロット部１２２は、一壁面にメモリカードが挿抜されるスロット１２２ａが設けられている。そして、スロット部１２２は、フロントパネル１０３の開口部１０３ａに取り付けられ、更にサイドパネル１０２の開口部１０２ａに形成されている固定部材１０２ｂに係止されている。ユーザは、カバー１２１を開いて露出させたスロット１２２ａにメモリカードを挿抜することができる。
【００３３】
以上のように、カバー１２１の回転軸１２１ａは、スロット部１２２やフロントパネル１０３に設けられておらず、サイドパネル１０２の開口部１０２ａにおける外面よりも内側に設けられているので、カバー１２１を閉状態としたときの外面とサイドパネル１０２及びフロントパネル１０３の外面とを容易に面一とすることができる。また、サイドパネル１０２の位置決めをスロット部１２２に対して実施することにより、スロット部１２２をカバー１２１で精度良く覆うことができる。このカバー１２１の開閉状態は維持することができ、この点について図を参照して説明する。
【００３４】
図７は、上記カバー１２１の回転軸１２１ａとその周辺部を示す断面図、図８及び図９は、その斜視図である。図７に示すように、カバー１２１の回転軸１２１ａは、サイドパネル１０２の開口部１０２ａにおける外面よりも内側に設けられ、捻りコイルバネ（弾性部材）１２３が取り付けられている。即ち、捻りコイルバネ１２３は、一端がカバー１２１の回転軸１２１ａに形成されたスリット１２１ａａに差し込まれて係止され、他端がサイドパネル１０２の開口部１０２ａに形成されたストッパ１０２ｃに差し込まれて係止されている。そして、この捻りコイルバネ１２３は、カバー１２１の開動作により締め付け方向に変位し、カバー１２１の閉動作により緩み方向に変位するように取り付けられている。
【００３５】
このような構成によれば、ユーザがカバー１２１の取っ手１２１ｂに指を掛けてカバー１２１を開けるときは、捻りコイルバネ１２３の適度な弾性力が作用してユーザはカバー１２１を緩やかに開けることができる。一方、ユーザが途中でカバー１２１の取っ手１２１ｂから指を離すと、捻りコイルバネ１２３の復元力が作用してカバー１２１は自動的に閉じる。この閉じた状態は捻りコイルバネ１２３の復元力により維持される。従って、ユーザのカバー１２１の閉め忘れによるメモリカードの汚染等を防止することができる。
【００３６】
また、図８に示すように、カバー１２１の回転軸１２１ａの近傍には、下方に突出した突部(第１の突部)１２４が一体形成され、この突部１２４の上部には、水平方向に延びるスリットが形成されて片持ち梁状のバネ部（弾性変位部）１２５が一体形成されている。また、図９に示すように、カバー１２１が開ききる直前に上記突部１２４と干渉するようにサイドパネル１０２の開口部１０２ａに上方に突出した突部(第２の突部)１２６が一体形成されている。
【００３７】
このような構成によれば、ユーザがカバー１２１に指を掛けてカバー１２１を開けきる直前で突部１２４が突部１２６と接触する。このときの接触圧によりバネ部１２５は上方へ曲がるので、突部１２４は突部１２６に乗り上がることになる。そして、突部１２４が突部１２６を乗り越えた時点でバネ部１２５は元の状態に戻る。このときのバネ部１２５の弾性力は、捻りコイルバネ１２３の復元力よりも若干大きくなるように設定されている。従って、突部１２４は突部１２６と接触して止まることになり、カバー１２１は開いた状態で維持される。従って、ユーザは、メモリカードの挿抜を容易に行うことができる。
【００３８】
以上のように、本実施形態によれば、カバー１２１の開閉軸１２１ａが、サイドパネル１０２側に設けられているので、サイドパネル１０２に対するカバー１２１の組付け精度を高精度にすることができると共に、サイドパネル１０２に対するフロントパネル１０３の組付け精度を高精度にすることができ、フロントパネル１０３に対するカバー１２１の組付け精度も高精度にすることができる。また、カバー１２１の開閉軸１２１ａが、閉状態のときにサイドパネル１０２とカバー１２１の外面が面一となるように、サイドパネル１０２の外面よりも内側に設けられているので、カバー１２１の外面とフロントパネル１０３の外面とを面一とすることができる。
【００３９】
尚、上述した実施形態では、メモリカードスロット部１２０のカバー１２１を例に説明したが、これに限定されるものではなく、例えば大型プリンタのインクカートリッジのホルダのカバー等、装着物を保護する装置であれば同様に適用することができる。
【産業上の利用可能性】
【００４０】
装着物保護装置を備えた記録装置であれば、例えばファクシミリ装置、コピー装置、スキャナ等であっても適用可能である。また、記録装置に限らず、インクに代えてその用途に対応する液体を液体噴射ヘッドから被噴射媒体に噴射して液体を被噴射媒体に付着させる液体噴射装置の意味として、例えば、液晶ディスプレイ等のカラーフィルタ製造に用いる色材噴射ヘッド、有機ＥＬディスプレイや面発光ディスプレイ（ＦＥＤ）等の電極形成に用いられる電極材（導電ペースト）噴射ヘッド、バイオチップ製造に用いられる生体有機物噴射ヘッド、精密ピペットとしての試料噴射ヘッド等を備えた装置にも適用可能である。
【図面の簡単な説明】
【００４１】
【図１】本発明の一実施の形態に係る記録装置の１つであるインクジェット式プリンタの外観構成の全体を示す斜視図である。
【図２】図１のプリンタの内部構造を示す斜視図である。
【図３】図２のプリンタの内部構造を示す概略側面図である。
【図４】図１のプリンタのメモリカードスロット部のカバーを閉じた状態を示す斜視図である。
【図５】図１のプリンタのメモリカードスロット部のカバーを開いた状態を示す第１の斜視図である。
【図６】図１のプリンタのメモリカードスロット部のカバーを開いた状態を示す第２の斜視図である。
【図７】図６に示すカバーの回転軸とその周辺部を示す断面図である。
【図８】図７に示すカバーの回転軸とその周辺部を示す第１の斜視図である。
【図９】図７に示すカバーの回転軸とその周辺部を示す第２の斜視図である。
【符号の説明】
【００４２】
１００  インクジェット式プリンタ、１０１  ハウジング、１０２  サイドパネル、１０３  フロントパネル、１１０  操作部、１２０  メモリカードスロット部、１２１  カバー、１２１ａ  回転軸、１２２  スロット部、１２３  捻りコイルバネ、１２４、１２６  突部、１２５  バネ部、１３０  給紙部、１４０  排紙部、１５０  用紙搬送部、１６０  記録部、２００  ディスク搬送部
【図１】
2007030484.tif 000003
【図２】
2007030484.tif 000004
【図３】
2007030484.tif 000005
【図４】
2007030484.tif 000006
【図５】
2007030484.tif 000007
【図６】
2007030484.tif 000008
【図７】
2007030484.tif 000009
【図８】
2007030484.tif 000010
【図９】
2007030484.tif 000011